(57)【要約】  温かい飲料および冷たい飲料を保持するのに適した複数の容器、および複数の容器を保持するのに適した複数のキャリアの両方とインタラクトするのに適しており、前記複数の容器が、基部と、前記基部から上方に延在する壁付き部分と、前記壁付き部分に取り付けられる蓋とを備え、前記複数のキャリアが、蓋を受け入れる少なくとも１つの区画と容器を受け入れる少なくとも第２の区画とを備える、取扱いシステムであって、前記キャリアおよび前記容器が両方とも、前記キャリアおよび前記容器をそれぞれ識別する遠隔で問い合わせ可能なタグを備え、前記システムが更に、遠隔処理モジュールと、前記遠隔で問い合わせ可能なタグとの複数のインタラクションポイントであって、インタラクションの日時スタンプ、ポイントの識別、システムとインタラクトする個人の識別、および前記システムとインタラクトする容器またはキャリアの識別のうち、１つまたは複数の因子を提供するインタラクションポイントと、前記因子を表す信号を前記遠隔処理モジュールに送る通信リンクとを備える、取扱いシステム。
2020536333.tif 000002
【特許請求の範囲】
【請求項１】
温かい飲料を保持するのに適した複数の容器、および複数の容器を保持するのに適した複数のキャリアの両方とインタラクトするのに適しており、前記複数の容器が、基部と、前記基部から上方に延在する壁付き部分と、前記壁付き部分に取り付けられる蓋とを備え、前記複数のキャリアが、前記容器の少なくとも一部を受け入れる少なくとも１つの区画を備える、取扱いシステムであって、
前記容器および前記キャリアが両方とも、前記容器および前記キャリアをそれぞれ識別する遠隔で問い合わせ可能なタグを備え、
前記システムが更に、遠隔処理モジュールと、前記遠隔で問い合わせ可能なタグとの複数のインタラクションポイントであって、インタラクションの日時スタンプ、前記ポイントの識別、前記システムとインタラクトする個人の識別、および前記システムとインタラクトする前記容器または前記キャリアの識別のうち、１つまたは複数の因子を提供するインタラクションポイントと、前記因子を表す信号を前記遠隔処理モジュールに送る通信リンクとを備える、取扱いシステム。
【請求項２】
前記インタラクションポイントが、前記遠隔で問い合わせ可能なタグをスキャンする１つまたは複数のスキャナを備える、請求項１に記載の取扱いシステム。
【請求項３】
前記容器が、前記基部、前記上方に延在する壁付き部分、および／または前記蓋のうち１つまたは複数と統合された、１つまたは複数の遠隔で問い合わせ可能なタグを備える、請求項１または２に記載の取扱いシステム。
【請求項４】
前記容器が該容器の基部内に位置するタグを備える、請求項１から３のいずれか一項に記載の取扱いシステム。
【請求項５】
前記容器が、該容器の蓋内に統合された遠隔で問い合わせ可能なタグを更に備える、請求項１から４のいずれか一項に記載の取扱いシステム。
【請求項６】
前記問い合わせ可能なタグが、前記容器または前記キャリアのどちらかの成型プラスチックに埋め込まれる、請求項１から５のいずれか一項に記載の取扱いシステム。
【請求項７】
前記蓋が外表面および内表面を有し、該内表面が、前記遠隔で問い合わせ可能なタグを前記蓋に固定する陥凹部分を備える、請求項１から６のいずれか一項に記載の取扱いシステム。
【請求項８】
前記容器が、前記上方に延在する壁付き部分の周りに少なくとも部分的に延在し、該壁付き部分から突出する環状バンドを備える、請求項１から７のいずれか一項に記載の取扱いシステム。
【請求項９】
前記蓋が、使用の際に飲料が通って前記容器を出ることができるアパーチャと、周縁内に位置する部分的に球形の陥凹部分とを備えた周縁と、前記部分的に球形の陥凹部分に位置する貫通穴とを組み込む、請求項１から８のいずれか一項に記載の取扱いシステム。
【請求項１０】
前記キャリアが、前記キャリアを識別する遠隔で問い合わせ可能なタグと、蓋を受け入れる少なくとも１つの区画および容器を受け入れる少なくとも第２の区画とを備え、該第２の区画が、前記第１の区画とは隔離され、密接した構成で前記容器を積み重ねるのを容易にする上方に延在する壁を有する、請求項１から９のいずれか一項に記載の取扱いシステム。
【請求項１１】
前記キャリアが少なくとも１つの平行六面体のケースを備える、請求項１から１０のいずれか一項に記載の取扱いシステム。
【請求項１２】
前記キャリアが複数の積み重ねられた平行六面体のケースを備える、請求項１１に記載の取扱いシステム。
【請求項１３】
前記キャリアが、隣接する積み重ねられたケース間の接合部材として作用する、１つまたは複数のビームを備える、請求項１１または１２に記載の取扱いシステム。
【請求項１４】
前記キャリアが、少なくとも２種類のアパーチャを備えた蓋を備え、第１の種類のアパーチャが、容器を挿入できるようにサイズおよび形状が決められ、第２の種類のアパーチャが、蓋は挿入できるが容器は挿入できないようにサイズおよび形状が決められる、請求項１から１３のいずれか一項に記載の取扱いシステム。
【請求項１５】
前記第１のアパーチャが、実質的に円形であり、径方向内側に突出する１つまたは複数の突起を備える、請求項１４に記載の取扱いシステム。
【請求項１６】
前記第１のアパーチャが、対角線方向で対向して配設された突起を備える、請求項１５に記載の取扱いシステム。
【請求項１７】
前記インタラクションポイントの少なくとも１つが、販売場所の所在地、販売時間、飲料／食品の種類、および飲料／食品の量という追加の因子のうち１つまたは複数を照合する、請求項１から１６のいずれか一項に記載の取扱いシステム。
【請求項１８】
前記遠隔処理モジュールが、前記データを集約して、個人、容器、および販売場所のうち１つまたは複数のプロファイルを決定する、請求項１から１７のいずれか一項に記載の取扱いシステム。
【請求項１９】
前記システムが更に、キャリアの所在地と、前記容器との最初のインタラクションポイントとキャリアの所在地との間の距離を計算するモジュールとを備える、請求項１から１８のいずれか一項に記載の取扱いシステム。
【請求項２０】
基部と、前記基部から上方に延在する壁付き部分と、前記壁付き部分に取り付けられる蓋とを備える、温かい飲料を保持するのに適したカップであって、前記基部、前記上方に延在する壁付き部分、および／または前記蓋のうち１つまたは複数と統合された、１つまたは複数の遠隔で問い合わせ可能なタグを備える、カップ。
【請求項２１】
基部内に位置するタグを備える、請求項２０に記載のカップ。
【請求項２２】
蓋内に統合された更なる遠隔で問い合わせ可能なタグを備える、請求項２１に記載のカップ。
【請求項２３】
前記タグが、前記カップの成型プラスチック材料に埋め込まれたディスクを備える、請求項２０から２２のいずれか一項に記載のカップ。
【請求項２４】
前記更なるタグが、前記蓋の成型プラスチック材料に埋め込まれる、請求項２２に記載のカップ。
【請求項２５】
前記上方に延在する壁付き部分の周りに少なくとも部分的に延在し、該壁付き部分から突出する環状バンドを備える、請求項２０から２４のいずれか一項に記載のカップ。
【請求項２６】
前記蓋が、使用の際に飲料が通って前記カップを出ることができるアパーチャと、周縁内に位置する部分的に球形の陥凹部分とを備えた周縁と、前記部分的に球形の陥凹部分に位置する貫通穴とを組み込む、請求項２０から２５のいずれか一項に記載のカップ。
【請求項２７】
請求項２０から２６のいずれか一項に記載の複数のカップを保持するのに適したキャリアであって、キャリアを識別する遠隔で問い合わせ可能なタグと、蓋を受け入れる少なくとも１つの区画およびカップを受け入れる少なくとも第２の区画とを備え、前記第２の区画が、前記第１の区画とは隔離され、密接した構成で前記カップを積み重ねるのを容易にする上方に延在する壁を有する、キャリア。
【請求項２８】
前記キャリアが少なくとも１つの平行六面体のケースを備える、請求項２７に記載のキャリア。
【請求項２９】
前記キャリアが複数の積み重ねられた平行六面体のケースを備える、請求項２８に記載のキャリア。
【請求項３０】
前記キャリアが、隣接する積み重ねられたケース間の接合部材として作用する、１つまたは複数のビームを備える、請求項２９に記載のキャリア。
【請求項３１】
前記キャリアが、少なくとも２種類のアパーチャを備えた蓋を備え、第１の種類のアパーチャが、カップを挿入できるようにサイズおよび形状が決められ、第２の種類のアパーチャが、蓋は挿入できるがカップは挿入できないようにサイズおよび形状が決められる、請求項２７から３０のいずれか一項に記載のキャリア。
【請求項３２】
前記第１のアパーチャが、実質的に円形であり、径方向内側に突出する１つまたは複数の突起を備える、請求項３１に記載のキャリア。
【請求項３３】
前記第１のアパーチャが、対角線方向で対向して配設された突起を備える、請求項３２に記載のキャリア。
【請求項３４】
実質的に上記に記載されるような、ならびに／あるいは添付の文章および／または図面の任意の適切な組み合わせで例証されるような、カップ取扱いシステム。
【発明の詳細な説明】
【技術分野】
【０００１】
本発明は、取扱いシステム、食品および飲料の容器、ならびにキャリアに関する。任意に、本発明はカップに関する。
【背景技術】
【０００２】
現代のライフスタイルは、温かいまたは冷たい飲料の増え続ける消費を求めているように思われる。主に持ち帰り用の廃棄可能な使い捨てカップまたは使い捨ての食品および飲料包装材の形態の、一回限りの解決策を提供する、供給業者の密なネットワークが存在する。これらの廃棄可能なカップまたは容器に収容された、非常に高温である場合が多い飲料に耐えるために、一般的に、少なくとも部分的には非生分解性プラスチックで作られるが、それらはごみ廃棄場に行き、場合によっては我々の環境を閉塞させて、膨大なエネルギーを消費する廃棄物回収プログラムを要するので、環境に悪影響がある。堆肥化可能な容器も存在するが、これらは分類および産業堆肥化を要する。これらの環境への悪影響は、多量の使い捨て包装材の解決策を作り出す際の膨大なエネルギー要件を考慮すると、更に悪化する。
【発明の概要】
【０００３】
本発明の態様の１つは、持ち帰り用カップまたは他のかかる食品および飲料容器のほぼ無限の最終目的地から発生する複雑さに対処し、カップまたは他のかかる容器の回収および再使用を改善することができるシステムを提供しようとするものである。
【０００４】
方策の１つは、カップまたは容器自体に関する。温かい飲料のカップを扱う、文字通り数千の従来の包装材が提案されている。
【０００５】
本発明の１つの態様は、この分野における従来の思考を反転させて、改善された容器の使用および再使用から発生する環境へのダメージを最小限に抑えながら、それら容器を有利に取扱いシステムに統合することができる方法を提案しようとするものである。
【０００６】
第１の広範な独立した態様では、本発明は、温かい飲料を保持するのに適した複数の容器、および複数の容器を保持するのに適した複数のキャリアの両方とインタラクト（ｉｎｔｅｒａｃｔ）するのに適した、取扱いシステムを提供し、複数の容器は、基部と、基部から上方に延在する壁付き部分と、壁付き部分に取り付けられる蓋とを備え、複数のキャリアは、容器の少なくとも一部を受け入れる少なくとも１つの区画を備え、
容器およびキャリアは両方とも、容器およびキャリアをそれぞれ識別する遠隔で問い合わせ可能な（ｉｎｔｅｒａｃｔａｂｌｅ）タグを備え、
システムは更に、遠隔処理モジュールと、遠隔で問い合わせ可能なタグとの複数のインタラクションポイント（ｔｈｅ  ｐｏｉｎｔｓ  ｏｆ  ｉｎｔｅｒａｃｔｉｏｎ）であって、インタラクション（ｉｎｔｅｒａｃｔｉｏｎ）の日時スタンプ、ポイントの識別、システムとインタラクトする個人（ａｎ  ｉｎｄｉｖｉｄｕａｌ  ｉｎｔｅｒａｃｔｉｎｇ）の識別、およびシステムとインタラクトする容器またはキャリアの識別のうち、１つまたは複数の因子を提供するインタラクションポイントと、因子を表す信号を遠隔処理モジュールに送る通信リンクとを備える。
【０００７】
一方で、容器は温かい飲料および冷たい飲料の両方に適していてもよい。温かい飲料の温度レベルは７０℃超過であってもよい。好ましくは、温かい飲料の温度レベルは８０℃超過であってもよい。
【０００８】
補助的態様では、インタラクションポイントは、遠隔で問い合わせ可能なタグをスキャンする１つまたは複数のスキャナを備える。
【０００９】
更なる補助的態様では、容器は、基部、上方に延在する壁付き部分、および／または蓋の１つもしくは複数と統合された、１つまたは複数の遠隔で問い合わせ可能なタグを備える。
【００１０】
更なる補助的態様では、容器はその基部内に位置するタグを備える。
【００１１】
更なる補助的態様では、容器は、その蓋内に統合された遠隔で問い合わせ可能なタグを更に備える。
【００１２】
更なる補助的態様では、問い合わせ可能なタグは、容器またはキャリアのどちらかの成型プラスチック内に埋め込まれる。
【００１３】
更なる補助的態様では、蓋は外表面および内表面を有し、前記内表面は、遠隔で問い合わせ可能なタグを蓋に固定するための陥凹部分を備える。
【００１４】
更なる補助的態様では、容器は、上方に延在する壁付き部分の周りに少なくとも部分的に延在し、そこから突出する環状バンドを備える。
【００１５】
更なる補助的態様では、蓋は、使用の際に飲料がそこを通して容器を出ることができるアパーチャと、周縁内に位置する部分的に球形の陥凹部分とを備えた周縁と、部分的に球形の陥凹部分に位置する貫通穴とを組み込む。
【００１６】
更なる補助的態様では、キャリアは、キャリアを識別する遠隔で問い合わせ可能なタグと、蓋を受け入れる少なくとも１つの区画および容器を受け入れる少なくとも第２の区画とを備え、第２の区画は、第１の区画とは隔離され、密接した構成で容器を積み重ねるのを容易にする上方に延在する壁を有する。
【００１７】
更なる補助的態様では、キャリアは、少なくとも１つの平行六面体のケースを備える。
【００１８】
更なる補助的態様では、キャリアは、複数の積み重ねられた平行六面体のケースを備える。
【００１９】
更なる補助的態様では、キャリアは、隣接する積み重ねられたケース間の接合部材として作用する、１つまたは複数のビームを備える。
【００２０】
更なる補助的態様では、キャリアは、少なくとも２種類のアパーチャを備えた蓋を備え、第１の種類のアパーチャは、容器を挿入できるようにサイズおよび形状が決められ、第２の種類のアパーチャは、蓋は挿入できるが容器は挿入できないようにサイズおよび形状が決められる。
【００２１】
更なる補助的態様では、第１のアパーチャは、実質的に円形であり、径方向内側に突出する１つまたは複数の突起を備える。
【００２２】
更なる補助的態様では、第１のアパーチャは、対角線方向で対向して配設された突起を備える。
【００２３】
更なる補助的態様では、インタラクションポイントの少なくとも１つが、販売場所の所在地、販売時間、飲料／食品の種類、および飲料／食品の量という追加の因子のうち１つまたは複数を照合する。
【００２４】
更なる補助的態様では、遠隔処理モジュールは、データを集約して、個人、容器、および販売場所のうち１つまたは複数のプロファイルを決定する。
【００２５】
更なる補助的態様では、システムは、キャリアの所在地と、容器との最初のインタラクションポイントとキャリアの所在地との間の距離を計算するモジュールとを備える。
【００２６】
更なる広範な態様では、本発明は、基部と、基部から上方に延在する壁付き部分と、壁付き部分に取り付けられる蓋とを備える、温かい飲料を保持するのに適したカップを提供し、カップは、基部、上方に延在する壁付き部分、および／または蓋のうち１つまたは複数と統合された、１つまたは複数の遠隔で問い合わせ可能なタグを備える。
【００２７】
更なる補助的態様では、カップはその基部内に位置するタグを備える。
【００２８】
更なる補助的態様では、カップは、その蓋内に統合された遠隔で問い合わせ可能なタグを更に備える。
【００２９】
更なる補助的態様では、タグは、カップの成型プラスチック材料に埋め込まれたディスクを備える。
【００３０】
更なる補助的態様では、更なるタグが、蓋の成型プラスチック材料に埋め込まれる。
【００３１】
更なる補助的態様では、カップは、上方に延在する壁付き部分の周りに少なくとも部分的に延在し、そこから突出する環状バンドを備える。
【００３２】
更なる補助的態様では、蓋は、使用の際に飲料がそこを通して容器を出ることができるアパーチャと、周縁内に位置する部分的に球形の陥凹部分とを備えた周縁と、部分的に球形の陥凹部分に位置する貫通穴とを組み込む。
【００３３】
更なる補助的態様では、本発明は、上述の態様のいずれかによる、複数のカップを保持するのに適したキャリアを提供し、キャリアは、キャリアを識別する遠隔で問い合わせ可能なタグと、蓋を受け入れる少なくとも１つの区画およびカップを受け入れる少なくとも第２の区画とを備え、第２の区画は、第１の区画とは隔離され、密接した構成でカップを積み重ねるのを容易にする上方に延在する壁を有する。
【００３４】
更なる補助的態様では、キャリアは、少なくとも１つの平行六面体のケースを備える。
【００３５】
更なる補助的態様では、キャリアは、複数の積み重ねられた平行六面体のケースを備える。
【００３６】
更なる補助的態様では、キャリアは、隣接する積み重ねられたケース間の接合部材として作用する、１つまたは複数のビームを備える。
【００３７】
更なる補助的態様では、キャリアは、少なくとも２種類のアパーチャを備えた蓋を備え、第１の種類のアパーチャは、容器を挿入できるようにサイズおよび形状が決められ、第２の種類のアパーチャは、蓋は挿入できるが容器は挿入できないようにサイズおよび形状が決められる。
【００３８】
更なる補助的態様では、第１のアパーチャは、実質的に円形であり、径方向内側に突出する１つまたは複数の突起を備える。
【００３９】
更なる補助的態様では、第１のアパーチャは、対角線方向で対向して配設された突起を備える。
【００４０】
更なる広範な独立した態様では、本発明は、基部と、基部から上方に延在する壁付き部分と、壁付き部分に取り付けられる蓋とを備える、温かい飲料を保持するのに適したカップを提供し、カップは、基部、上方に延在する壁付き部分、および／または蓋のうち１つまたは複数の中に統合された、１つまたは複数の遠隔で問い合わせ可能なタグを備える。この構成は、カップの構成に合わせた変更は最小限にしながら、遠隔処理モジュールとの統合を可能にし、それによって持ち帰り用カップの分配に固有の複雑さを低減することができるので、特に有利である。また、カップを多数のサイクルで使用することができるので、従来技術の一回限りの使用を回避する、特に堅牢な構造が可能である。特定の好ましい実施形態では、本明細書で詳述するカップ、ならびにカップ、蓋、およびドロップポイントケースを含む他の任意の洗浄可能な製品は、商用規模の洗浄向けに最適化されている。特定の実施形態では、カップおよび蓋により、産業規模の最適な洗浄および急速乾燥が可能になる。任意に、蓋およびカップには、洗浄サイクル中に水が残ったり集まったりするような隙間は一切ない。
【００４１】
補助的態様では、タグは基部内に配置される。これにより、特定の実施形態では、カップが販売場所でタッチパッドに載せられたときのタグの読取りを容易に改善できるため、販売場所インターフェースとの通信を改善できるので、有利な構造が提供される。また、密度の増加により、カップの安定性が増大する。
【００４２】
補助的態様では、更なる遠隔で問い合わせ可能なタグが蓋の中に統合される。これにより、カップ部分に関して概説した利益を、特定の実施形態では２つの別個の構成要素で形成される、より一層複雑な構造に適用することが可能になる。また、タグが蓋にある特定の実施形態では、消費者が自身のスマートフォンデバイスまたは他の携帯情報端末を用いてスキャンするのに便利なので、特に有利である。特定の実施形態では、画像、テキスト、アニメーション、または音楽のうち１つもしくは複数を含む群から選択されるメディアファイルの形態の、消費者との媒体のインタラクションを容易にする、蓋のスキャンが可能になる。
【００４３】
補助的態様では、タグは、カップに溶接されたディスクを備え、カップは、ディスクを受け入れるとともにディスクを中で保定する陥凹部分を備え、それによってディスクがカップに固定されてもよい。これにより、カップに対するディスクの取付けが改善され、高サイクルの使用および再使用に対して特に有利である。
【００４４】
補助的態様では、蓋は、外表面と、更なる遠隔で問い合わせ可能なタグを蓋に固定するための陥凹部分を備える内表面とを有する。
【００４５】
補助的態様では、タグは、ねじ山付きの周囲を備えたディスクを備え、カップは、対応するねじ山付きの直径を有する陥凹部分を備え、それによってディスクがカップに解放可能に固定されてもよい。これにより、改ざんに対抗する読取り可能なタグの有利な保護がもたらされる同時に、タグを再使用可能なカップに据え付けることが可能になる。
【００４６】
補助的態様では、ディスクは、ディスクをカップに固定する際にディスクの回転を駆動する、対応する形状のドライバを受け入れるのに適した陥凹部分を備えた外表面を備える。この構成は、改ざんに更に対抗し、適切な場合にディスクをカップから解放するのをより良好に選択的に可能にするのに、特に有利である。
【００４７】
更なる補助的態様では、蓋は、外表面と、更なる遠隔で問い合わせ可能なタグを蓋に解放可能に固定するための陥凹部分を備える内表面とを有する。この構成では、タグは、有利には、購入後に蓋が固定されているカップの外部からアクセス不能なので、あらゆる改ざんから更に遮蔽される。
【００４８】
更なる補助的態様では、カップは、上方に延在する壁付き部分の周りに少なくとも部分的に延在し、そこから突出する環状バンドを備える。この構成は、カップのキャリアへの熱伝導を低減するという点で、特に有利である。
【００４９】
更なる補助的態様では、蓋は、使用の際に飲料がそこを通してカップを出ることができるアパーチャと、周縁内に位置する部分的に球形の陥凹部分とを備えた周縁と、部分的に球形の陥凹部分に位置する貫通穴とを組み込む。この構成は、特に堅牢であり、カップの壁付き部分に有利に取り付けるための、カップの蓋の弾力性を増大する。これはまた、蓋の再使用前に行われる清浄化プロセス後またはその一部としての排水を可能にするので、有利である。
【００５０】
更なる広範な態様では、本発明は、上述の態様のいずれかによる、複数のカップを保持するのに適したキャリアを提供し、キャリアは、キャリアを識別する遠隔で問い合わせ可能なタグと、蓋を受け入れる少なくとも１つの区画およびカップを受け入れる少なくとも第２の区画とを備え、第２の区画は、第１の区画とは隔離され、密接した構成でカップを積み重ねるのを容易にする上方に延在する壁を有する。この構成は、カップの取扱いを最小限に抑えるために清浄化プロセスを通してリサイクルする、分解されたカップおよび蓋を準備するために、特に有利である。また、運搬能力を最大限にする、特にコンパクトな保管が提供される。
【００５１】
補助的態様では、キャリアは、少なくとも１つの平行六面体のケースを備える。これは、キャリアの積重ねに関して、また清浄化前の運搬可能な使用済みカップおよび蓋の量を増加することに関して有利である。
【００５２】
更なる補助的態様では、キャリアは、複数の積み重ねられた平行六面体のケースを備える。これは、運搬目的の能力を向上させる。
【００５３】
更なる補助的態様では、キャリアは、隣接する積み重ねられたケース間の接合部材として作用する、１つまたは複数のビームを備える。これによって更に、より多数のカップおよび蓋を運搬することが可能になり、したがってこれらの運搬効率が改善される。
【００５４】
更なる補助的態様では、キャリアは、少なくとも２種類のアパーチャを備えた蓋を備え、第１の種類のアパーチャは、カップを挿入できるようにサイズおよび形状が決められ、第２の種類のアパーチャは、蓋は挿入できるがカップは挿入できないようにサイズおよび形状が決められる。
【００５５】
更なる補助的態様では、第１のアパーチャは、実質的に円形であるが、径方向内側に突出する１つまたは複数の突起を備える。この構成は、カップの取出しが非常に困難になり、したがって使用済みカップの不当な改ざんを防止するので、特に有利である。
【００５６】
更なる補助的態様では、第１のアパーチャは、対角線方向で対向して配設された突起を備える。これは更に、キャリア内でのカップの保定を改善する。
【００５７】
更なる広範な態様では、本発明は、上述の態様のいずれか１つによる複数のカップと、遠隔処理モジュールと、複数の遠隔で配設されたインタラクションポイントとを備え、インタラクションポイントが、インタラクションポイントとのインタラクションの日時スタンプ、ポイントの識別、システムとインタラクトする個人の識別、およびカップの識別といった因子のうち１つまたは複数を提供し、因子を表す信号を遠隔処理モジュールに送る、カップ取扱いシステムを提供する。これは、様々な店舗から運び出されたカップの複雑な送還のための解決策を提供し、ごみ廃棄場に行く廃棄物を最小限に抑えるとともにシステムを通してカップが循環するように、これらを管理するのを可能にする。
【００５８】
更なる補助的態様では、遠隔で配設されたインタラクションポイントの少なくとも１つが、販売場所の所在地、販売時間、飲料の種類、および飲料の量という追加の因子のうち１つまたは複数を照合する。
【００５９】
更なる補助的態様では、遠隔処理モジュールは、データを集約して、個人、容器、および販売場所のうち１つまたは複数のプロファイルを決定する。
【００６０】
更なる補助的態様では、カップ取扱いシステムは、インタラクションの日時スタンプと、上述の態様のいずれか１つによるキャリアの識別とを提供するインタラクションポイントを更に備える。これによって更に、そうでなければ非常に複雑でランダムなプロセスとなっていた、この取扱いが単純化される。
【００６１】
更なる補助的態様では、カップ取扱いシステムは、キャリアの所在地と、容器との最初のインタラクションポイントとキャリアの所在地との間の距離を計算するモジュールとを備える。
【００６２】
更なる補助的態様では、カップ取扱いシステムは、インタラクションポイント間のカップの移動時間を計算するモジュールを更に備える。
【図面の簡単な説明】
【００６３】
【図１】カップの一実施形態の側面図である。
【図２Ａ】図１の実施形態の斜視図である。
【図２Ｂ】図１の実施形態の斜視図である。
【図３】図１、図２Ａ、及び図２Ｂの実施形態の分解組立斜視図である。
【図４】図１〜３のカップの断面図である。
【図５Ａ】問題の種類のカップを回収するのに適したキャリアの斜視図である。
【図５Ｂ】問題の種類のカップを回収するのに適したキャリアの側面図である。
【図５Ｃ】問題の種類のカップを回収するのに適したキャリアの更なる斜視図である。
【図６】販売場所デバイスの一実施形態を示す図である。
【図７】カップの更なる実施形態の側面図である。
【図８】図７の実施形態のカップの下面斜視図である。
【図９】図７および図８の実施形態の斜視図である。
【図１０】キャリアの更なる実施形態の斜視図である。
【図１１】図１０の実施形態の斜視図である。
【図１２】図１０および１１の実施形態の上面斜視図である。
【図１３】処理モジュールと、処理モジュールとインタラクトする様々な構成要素との間のインタラクションを示すフローチャートである。
【図１４】更なる実施形態による食品／飲料容器の側面図である。
【図１５】図１４の容器の斜視図である。
【図１６】図１４の容器の分解組立斜視図である。
【図１７】本発明の更なる実施形態の分解組立斜視図である。
【図１８】図１４のカートリッジを更に示す図である。
【図１９】蓋が取り外された図１４の容器の斜視図である。
【図２０】図１４の容器の蓋の斜視図である。
【図２１】図１４の実施形態の分解組立斜視図である。
【図２２】蓋の斜視図である。
【図２３】蓋の断面図である。
【図２４】蓋の分解組立斜視図である。
【図２５】キャリアの斜視図である。
【図２６】キャリアの分解組立斜視図である。
【図２７】キャリアの蓋または上部パネルの下面の一部を示す斜視図である。
【図２８】キャリアの蓋または上部パネルの下面の一部を示す分解組立斜視図である。
【図２９】取扱いシステムの一実施形態のフローチャートである。
【発明を実施するための形態】
【００６４】
図１は、温かい飲料を保持するのに適した、全体が１で参照されるカップを示している。カップは、基部２と、基部から上方に延在する壁付き部分３とを備える。蓋４は、上方に延在する壁付き部分の最も上側の部分に取り付けられる。好ましい一実施形態では、環状バンド５は、上方に延在する壁付き部分の周りに少なくとも部分的に延在し、そこから突出する。このバンドは、カップ自体とは別個の構成要素であってもよく、または一体的に形成されてもよい。好ましい実施形態では、バンドの材料は、カップ自体の壁よりも低い熱伝導率を有する。熱伝導率が低いため、環状バンドを提供することによって、カップのより快適な取扱いが可能になる。バンドの２つの区分の間にギャップ６が設けられてもよい。
【００６５】
好ましい実施形態では、カップはまた、８オンス（２２７．３ｍｌ）、１０オンス（２８４．１ｍｌ）、および１２オンス（３４０．９ｍｌ）の飲み物部分を示す目盛り線を有する。更なる好ましい実施形態では、カップは、１６オンス（４５４．６ｍｌ）を収容するのに適していてもよく、１４オンス（３９７．７ｍｌ）および／または１６オンス部分を示す線を有してもよい。
【００６６】
任意に、検討される実施形態のいずれかは、洗浄後に水滴がほとんどまたは全くカップの表面に集まらないように、表面の水分保持を低減する質感を有する、構成要素の表面を含んでもよい。
【００６７】
図２Ａは、三日月形の陥凹部分７が、蓋の周囲の周りに延在する周縁８内に設けられている、蓋の更なる詳細を示している。周縁の境界内に、好ましくは楕円形であってもよいアパーチャが設けられる。アパーチャ９は、使用モードに応じて、カップから飲料を流出させるのを容易にする。蓋内に作られた貫通穴を追加することによって、飲むプロセス中におけるカップ内の圧力を均等化するのが容易になる。
【００６８】
図２Ｂは、円筒状の軸１１と、ドライバを有利に把持するのを容易にする刻み付きの外表面とを有する、全体が１０で参照されるドライバである。ドライバは、図３に示されるようなディスク１５の陥凹部と対応するようにサイズおよび形状が決められた突起１４を備える前面１３を有する、幅広のヘッド部分１２を有する。
【００６９】
図３は、別の場合では実質的に平らな下側の基部表面であろう面に陥凹部分１６を有することが想到される、基部２を更に詳細に示している。陥凹部分１６は、ディスク形状であってカップと同軸である。陥凹部分は、キャップ１７の対応するねじ山付きの周囲と噛合するために、雌ねじが切られた内壁を有する。タグ１８は、同様に、やはり陥凹部分１６内に嵌合し、キャップ１７が適所にねじ込まれると中で保定されるように、ディスク形状であってもよい。キャップ１７は、ドライバ１０の突起１４に対応する陥凹部分を組み込んでいるが、カップの基部の対応するねじ山付きの壁との係合は、好ましくは、カップの寿命全体にわたってカップの境界内でタグを固定するのを可能にするために、反転させるのが困難な係合であってもよい。タグは、好ましくは、読取り機に近接しているときに読み取られるかまたは問い合わされてもよい、いわゆる受動タグであってもよい。好ましい実施形態では、タグは、関心のあるポイントなどにおけるタグの遠隔問い合わせを可能にするために、無線（ＲＦ）識別を含んでもよい。
【００７０】
好ましい実施形態では、カップは、タグを基部に有するだけでなく、図４に示されるように、蓋４の一部としてのタグも有する。この第２のタグ１９は、図３に記載されるキャップと類似の構成のキャップ２０によって、蓋の内部に固定されてもよい。この図は、ディスク２０のねじ山付き部分２１と、蓋の下面の陥凹部分に設けられたねじ山付き部分との間の相互作用を示している。タグは、キャップと一体的に形成されてもよく、ならびに／あるいはキャップ２０の上面に位置する更なる陥凹部分に置かれてもよい。主要な長方形のアパーチャ９に加えて、貫通穴２２も示されている。
【００７１】
図５Ａ〜図５Ｃは、上述の図面に関して記載した種類の複数のカップを保持する、全体が２３で参照されるキャリアを示している。キャリアはまた、キャリア自体を識別する遠隔で問い合わせ可能なタグを備えてもよい。区画２４など、図５Ｃに示されるような多数の区画が、カップおよび蓋を適宜受け入れるために設けられる。これらの区画は、密接した構成でカップの積重ねを促すために、垂直方向に細長く、カップの幅におおよそ対応する。これは、多量の使用済みのカップおよび蓋の運搬を最大限にする、相対的にコンパクトなキャリアを提供することに関して、特に有利である。カップを蓋から分離するのを促すために、蓋２５は、２つの異なる種類のアパーチャを備える。アパーチャ２６などの第１の種類のアパーチャは、カップを挿入できるようにサイズおよび形状が決められ、第２の種類のアパーチャ２７は、蓋は挿入できるがカップは挿入できないようにサイズおよび形状が決められる。アパーチャ２６はほぼ円形の構成を有し、アパーチャ２７は長方形である。キャリアは、図５Ｂに示されるように、キャリアを地面の上で持ち上げる、２つの三角形の支持部材２８および２９を組み込んでいる。長方形の接合部材３０が、キャリアを側脚部に固定するために設けられる。キャリアの壁３１などの外壁は、折り畳んだ形態で運搬できるようにするため、比較的柔軟な材料のものであってもよい。操作者の手が更なる処理のためにキャリアを簡単に把持できるようにするために、キャリアの外壁に対して枢動してもよい、ハンドル３２などの１つまたは複数のハンドルが設けられてもよい。
【００７２】
図６は、全体が３３で参照される潜在的なインタラクションポイントを示している。このインタラクションポイントは、販売場所で見出されてもよく、カップ取扱いシステムが、遠隔処理モジュール（この図には図示なし）で、インタラクションの日時スタンプ、販売場所の識別、システムとインタラクトする個人の識別、およびカップの識別という因子の少なくとも１つまたは複数を表す信号を受信できるようにするために、カップ取扱いシステムがカップの固有の識別番号を読み取るのを可能にするとともに、操作者が温かい飲み物の選択をタッチ画面３５に入力できるようにする、ＲＦタグ読取り機３４を組み込んでもよい。
【００７３】
好ましい実施形態では、因子を表す信号は、遠隔処理モジュールが常駐するとともに、様々なインタラクションのプロファイルが次第に蓄積される、クラウドベースのアプリケーションに送られる。販売場所デバイス３３はまた、その所在地、購入日時、飲料の種類、および飲料の量に関する情報を提供してもよい。販売場所デバイスから得られる入力は、データを集約して個々のカップおよび販売場所のうち１つまたは複数のプロファイルを決定するであろう、遠隔処理モジュールに供給してもよい。
【００７４】
更に、遠隔処理モジュールは、清浄化および更なる処理を必要としている多数のカップとも関連付けられてもよい、キャリアの所在地からの情報供給を得てもよい。これに関連して、モジュールは、販売場所デバイスなどにおける最初のインタラクションポイントと、キャリアの記録された所在地との間の距離を計算するように、適合または構成されてもよい。これにより、返却イベントをモニタリングし分析することが可能になるであろう。これは、例えば、カップを返却したことに対する潜在的な賞金を含む適切な通知、あるいは返却しなかったことに対する罰金の通達を発送することを含む通知とともに、プッシュ通知を送信することを可能にしてもよい。また、これによって、より正確な販売促進および市場調査活動を展開することが可能になるであろう。
【００７５】
図７〜９は、単純にするために図１〜４と同一の参照番号が保持されている、本発明の更なる実施形態を示している。しかしながら、この実施形態では、蓋４のプロファイルはその幅にわたって高さが増加しているので異なる。図７の参照番号３７によって示されるような最高点に、飲料がそこを通ってカップを出ることができるアパーチャ９が設けられる。有利には、この実施形態では、（図９に示されるような）部分的に球形の陥凹部分３６は、周縁８内に位置する。更に、環状の突出したバンド５は、カップの壁付き部分の区分の周囲の周りに延在する。（図７に示されるような）上縁部３８および下縁部３９は、カップの長手方向軸線に垂直な面内で延在し、それによって有利には、積重ねに適していてもよい。更に、この実施形態では、別個のタグを有するかまたはそれと一体のタグを有するディスクは、カップの基部に音波溶接され、つまり一旦適所で溶接されると、取り外すことはできない。したがって、ディスクは、上述の実施形態のように、周囲のねじ山を一切要しないであろう。
【００７６】
更なるキャリアの実施形態が、図１０、１１、および１２に示されている。好ましい実施形態では、キャリアは、複数の積み重ねられた実質的に平行六面体のケースを組み込んでもよい。図１０のキャリアは、ケース４１および４２を備える。各ケースは、上述の実施形態に記載した種類の複数のアパーチャを備えた、蓋４３などの蓋を有する。しかしながら、それに加えて、カップ区画に対する円形のアパーチャを単純に組み込む代わりに、アパーチャ４４などの円形のアパーチャは、径方向内側に突出するとともに、ケース内に配置されたカップを取り外そうとする試みに対する障害物となる、少なくとも１つの突起４５を備える。更に、このシステムはまた、アパーチャ４６などの長方形のアパーチャを通してより適切に挿入できるように、カップの蓋の取外しを促す。各キャリアはまた、特定のケースまたはキャリアを識別する、遠隔で問い合わせ可能なタグを組み込んでもよい。図１１の実施形態は、ケースまたはキャリアの蓋が、ハウジングおよびハウジング内に位置する読取り可能なＲＦＩＤ構成要素を組み込んでもよい、キーまたはディスク４７を挿入する楕円形のスロットを組み込んでもよいことを想到している。好ましくは、キーインサートは、蓋をケースから解放して、内容物を除去し洗浄することを可能にする。ＲＦＩＤタグは、問題のケースまたはキャリアに特異的であってもよく、また任意に、その所在地に関する情報を有してもよいことが想到される。それに加えて、様々な積み重ねられたキャリアまたはケースは、ケースの側壁を通る適切なサイズのトンネルを通して提供されてもよい、１つまたは複数のビーム４８および４９によってともに保持されてもよい。これらのビーム４８および４９は、隣接する積み重ねられたケース間の接合部材として作用するために、複数のケースを貫通してもよい。
【００７７】
図１２は、ケース内におけるカップおよび蓋の積重ねおよび保定を最適化するために、カップおよび蓋を隔離する役割を果たす、様々な筒状区画を更に詳細に示している。アパーチャはまた、１つを超える径方向の突起を提供してもよく、例えば、アパーチャ４４内の、２つの対角線方向で対向する突起４５および５０が想到される。
【００７８】
システムの様々な構成要素について詳細に記載してきたが、それらと適切なカップ取扱いシステムとのインタラクションを考慮すると、いくつかの利点が生じる。
【００７９】
図１３に示されるようなカップ取扱いシステムは、
飲料入りカップの購入サイクルの取扱い効率を改善し、
ほぼ無限数の場所において飲料を消費し、その後、清浄化および更なる処理のためにスマートドロップポイントにおいてカップを回収し、次に販売場所に返却し、したがって、再使用可能なカップの効率的な環境にやさしいサイクルを提供することを容易にし、任意に、システムが、返却および再使用のために最適化されてもよい、ＲＦＩＤ対応の追跡可能なカップまたはＲＦＩＤ対応の追跡可能な食品および飲料包装材を提供し、
この複雑なプロセスを監視し、これらの複雑な移動構成要素の精密な定量化を可能にし、
食品および飲料の供給と需要を理解できるようにし、時間に伴って量を予測し、ならびに／あるいは、
いくつかの重要なインタラクションポイントとの間における情報の受信およびプッシュを容易にし、好ましい実施形態では、システムが、ＩｏＴクラウドプラットフォームとの間における情報のプッシュを容易にする。ＩｏＴクラウドプラットフォームは、ＰＨＰ  ７．２およびＭｙＳＱＬでＬａｒａｖｅｌ  ５．６を使用して構築される、ＲＥＳＴ形式ＡＰＩであってもよい。
【００８０】
詳細に上述したように、インタラクションポイントの１つは、販売場所デバイスであってもよく、
カップＩＤ／名称を割り当て、
使用をカウントダウンするモジュールをカップに割り当て、
メンバーＩＤを特定の時間に特定のカップに割り当て、
飲み物のタイプを関連付け、
日時スタンプのログを取り、
位置座標のログを取り、
定期更新を受信し、
銘柄の市場調査の機会として、販売プロセス中のデジタル媒体のインタラクションを可能にするように、構成されてもよい。
【００８１】
システムは、ＲＥＳＴ＋ＪＳＯＮ形式ＡＰＩとして構成されてもよい。標準的なＨＴＴＰ動詞であるＧＥＴ（取得）、ＰＯＳＴ（作成）、ＰＵＴ（更新）、ＤＥＬＥＴＥを用いた、標準的なＣＲＵＤ操作の要求の提出を可能にするように構成されてもよい。また、ＪＳＯＮとしてではなく通常のＨＴＴＰ  ｐａｒａｍｓとして、クエリパラメータの提出を可能にするように構成されてもよい。
【００８２】
ＡＰＩを検査し、要求をインタラクティブ（ｉｎｔｅｒａｃｔｉｖｅｌｙ）に試験するのに非常に有用である、全てのエンドポイントに対する要求例を含むｐｏｓｔｍａｎ設定ファイルが利用可能であってもよい。
【００８３】
潜在的なＨＴＴＰ設定に関して、ｈｔｔｐｓ：／／ａｐｉ．ｃｕｐｃｌｕｂ．ｃｏｍ／でライブサービスを見出すことができる。初期のサービスは、バージョニングのプレフィックス／ｖ１も使用しており、全ての要求がそれを含んでもよい。これらの文書に示される全ての要求は、このベースＵＲＬに関連してもよい。ＡＰＩは、任意に、ＪＳＯＮを介してのみ利用可能であってもよく、ブラウザ互換インターフェースは存在しない。全ての要求は、以下のＨＴＴＰヘッダを設定すべきである。Ａｃｃｅｐｔ：ａｐｐｌｉｃａｔｉｏｎ／ｊｓｏｎ；Ｃｏｎｔｅｎｔ−Ｔｙｐｅ：ａｐｐｌｉｃａｔｉｏｎ／ｘ−ｗｗｗ−ｆｏｒｍ−ｕｒｌｅｎｃｏｄｅｄ；および、Ｃａｃｈｅ−Ｃｏｎｔｒｏｌ：ｎｏ−ｃａｃｈｅ。これはまた、全ての要求本文（本来的に、Ｃｏｎｔｅｎｔ−Ｔｙｐｅヘッダが利用可能ではない、ＧＥＴ要求には適用されない）が、標準的なｘ−ｗｗｗ−ｆｏｒｍ−ｕｒｌｅｎｃｏｄｅｄ形式を使用しなければならないことを示す。ライブサーバは、ＨＴＴＰ／２に対応しており、ＡＥＡＤ暗号を含むＴＬＳ  １．２のみに対応する非常に厳密な設定を有する、ＴＬＳ暗号化を必要とする。いずれの現代のＨＴＴＰクライアントも、この点で問題はないはずであるが、古いもの、例えばＪａｖａ（登録商標）  ６では問題になることがある。
【００８４】
認証に関する一実施形態では、ほとんどのエンドポイントが、他のあらゆる要求の前に認証を要する。要求は、ＰＯＳＴ要求として／ａｕｔｈｅｎｔｉｃａｔｅエンドポイントに送信されるべきであり、例えば次のような、電子メールおよびパスワードパラメータを含む。ＰＯＳＴ  ／ｖ１／ａｕｔｈｅｎｔｉｃａｔｅ  ＨＴＴＰ／１．１；Ｈｏｓｔ：ａｐｉ．ｃｕｐｃｌｕｂ．ｃｏｍ；Ａｃｃｅｐｔ；ａｐｐｌｉｃａｔｏｎ／ｊｓｏｎ；Ｃｏｎｔｅｎｔ−Ｔｙｐｅ：ａｐｐｌｉｃａｔｉｏｎ／ｘ−ｗｗｗ−ｆｏｒｍ−ｕｒｌｅｎｃｏｄｅｄ；Ｃａｃｈｅ−Ｃｏｎｔｒｏｌ：ｎｏ−ｃａｃｈｅ；ｅｍａｉｌ＝ａｄｍｉｎ％４０ｅｘａｍｐｌｅ．ｃｏｍ＆ｐａｓｓｗｏｒｄ＝ｃｏｒｒｅｃｔ＋ｈｏｒｓｅ＋ｂａｔｔｅｒｙ＋ｓｔａｐｌｅ。
【００８５】
一実施形態では、この要求に対する成功する応答は、次のように、ログインしたユーザに関する情報を含む。
【００８６】
【表１】
2020536333.tif 000003
【００８７】
クライアントは、ａｐｉ＿ｔｏｋｅｎ値を抽出し、それを次の形式の認証ベアラヘッダの形で、全ての後続の要求に含めるべきである。
Ａｕｔｈｏｒｉｚａｔｉｏｎ：Ｂｅａｒｅｒ＜ａｐｉ＿ｔｏｋｅｎ＞
認証を要するエンドポイントに対する有効なトークンを含まない要求はいずれも、ＨＴＴＰ  ４０１  Ｕｎａｕｔｈｏｒｉｚｅｄのエラーコードを受信するであろう。ｐｏｓｔｍａｎ設定ファイルは、このメカニズムに対するビルトインサポートを有するので、一例としてそれにしたがう。セッションを終了するため、クライアントは、／ｌｏｇｏｕｔ  ｅｎｄｐｏｉｎｔを呼び出すことができ、その後、ａｐｉ＿ｔｏｋｅｎ値は受理されなくなる。
【００８８】
試験設定（例えば、ローカルで稼働しているとき）では、全て同じパスワード「ｃｏｒｒｅｃｔ  ｈｏｒｓｅ  ｂａｔｔｅｒｙ  ｓｔａｐｌｅ」（参照）を使用する、以下のユーザアカウントが定義される。ユーザタイプ電子メール；管理者  ａｄｍｉｎ＠ｅｘａｍｐｌｅ．ｃｏｍ；消費者  ｃｏｎｓｕｍｅｒ＠ｅｘａｍｐｌｅ．ｃｏｍ；小売業者  ｒｅｔａｉｌｅｒ＠ｅｘａｍｐｌｅ．ｃｏｍ；ＰＯＳデバイス  ｐｏｓｄｅｖｉｃｅ＠ｅｘａｍｐｌｅ．ｃｏｍ；所在地  ｌｏｃａｔｉｏｎ＠ｅｘａｍｐｌｅ．ｃｏｍ；倉庫  ｄｅｐｏｔ＠ｅｘａｍｐｌｅ．ｃｏｍ。
【００８９】
一実施形態では、Ｕｓｅｒｓ；Ｒｅｔａｉｌｅｒｓ；Ｌｏｃａｔｉｏｎｓ；Ｐｏｓｄｅｖｉｃｅｓ；Ｃｕｐｓ；Ｔｒａｎｓａｃｔｉｏｎｓという、６つのエントリタイプがある。これらは全て、標準的なＧＥＴ／ＰＯＳＴ／ＰＵＴ／ＤＥＬＥＴＥのＨＴＴＰ動詞に対応しているが、現在のログインと関連付けられた適切なユーザタイプによる特定の認証を要することがある。
【００９０】
特定のエンティティと関連付けられていない、いくつかのエンドポイントがある。特定のユーザとしてＡＰＩに接続する許可を要求するのに使用される、Ｐｏｓｔ／ａｕｔｈｅｎｔｉｃａｔｅ。更なる詳細については、認証セクションを参照のこと；Ｐｏｓｔ／ｌｏｇｏｕｔは、／ａｕｔｈｅｎｔｉｃａｔｅによって得られるａｐｉ＿ｔｏｋｅｎの妥当性を終了させ、ユーザを効率的にログアウトさせる；Ｐｏｓｔ／ｒｅｇｉｓｔｅｒは、新しい消費者タイプアカウントを作成するのに使用される。ｅｍａｉｌ；ｐａｓｓｗｏｒｄ；ｐａｓｓｗｏｒｄ＿ｃｏｎｆｉｒｍａｔｉｏｎ（パスワードと同じ値を含むべきである）、およびｎａｍｅのパラメータを受理。
【００９１】
【表２】
2020536333.tif 000004
【００９２】
このエンドポイントは、アカウントを検証し、それを行ってからでなければ新しく定義されたユーザがログインできないリンクを含むメッセージを、提供された電子メールアドレスに送信する。
【００９３】
ＧＥＴ／ｖｅｒｉｆｙ／｛ｃｏｎｆｉｒｍａｔｉｏｎ＿ｃｏｄｅ｝は、新しく作成されたアカウントを検証するのに使用され、新しいユーザに送信される電子メールメッセージで使用されるＵＲＬである。これは、ブラウザを介してアクセス可能な唯一のエンドポイントであり、Ａｃｃｅｐｔヘッダを要しない。確認コードは使用後に消去されるので、このエンドポイントに対する有効な要求は一回のみ機能する。
【００９４】
ユーザは、システムのユーザである。これらは、認証を受けることができる能力がそれぞれ異なる、全てのユーザタイプを網羅する。ユーザタイプは、消費者、小売業者、所在地、ＰＯＳデバイス、倉庫、管理者である。
【００９５】
一実施形態では、各エンティティは通常、ログインに使用できる関連付けられたユーザを有することになり、例えば、小売業者のエンティティは、消費者タイプのアカウントにはない小売業者に特異的な特権を有する、関連付けられた小売業者タイプのユーザアカウントを有することになる。
ＰＯＳＴ／ｕｓｅｒｓ
これは、新しいユーザを作成する方法であり、このエンドポイントは管理者ユーザによってのみ呼び出されてもよく、通常のユーザは／ｒｅｇｉｓｔｅｒ  ｅｎｄｐｏｉｎｔによって作成される。
ＧＥＴ／ｕｓｅｒｓ
これは、システムの全てのユーザの完全なリストを提供する。このエンドポイントは、管理者ユーザによってのみ呼び出されてもよい。
ＧＥＴ／ｕｓｅｒｓ／｛ｉｄ｝
これは、／ｕｓｅｒｓエンドポイントを介して、または／ａｕｔｈｅｎｔｉｃａｔｅに応答して得ることができる、ユーザの内部ＩＤ値を使用して、特定のユーザに関する情報を提供する。管理者ユーザは、いずれのユーザに関する情報も要求することができるが、その他の全てのユーザは、自身のＩＤに関する情報しか要求できない。
ＧＥＴ／ｕｓｅｒｓ／｛ｉｄ｝ｔｒａｎｓａｃｔｉｏｎｓ
これは、ユーザの内部ＩＤ値を使用して、特定のユーザに関する取引のリストを提供する。管理者ユーザは、いずれのユーザに関する情報も要求することができるが、その他の全てのユーザは、自身のＩＤに関する情報しか要求できない。
ＧＥＴ／ｕｓｅｒｓ／｛ｉｄ｝ｓｔａｔｉｓｔｉｃｓ
これは、ユーザの内部ＩＤ値を使用して、特定のユーザに関するアカウント統計を提供する。管理者ユーザは、いずれのユーザに関する情報も要求することができるが、その他の全てのユーザは、自身のＩＤに関する情報しか要求できない。現在、これは取引回数のみを含む。
ＧＥＴ／ｕｓｅｒｓ／ｍｅ
これは、現在ログインしているユーザに関する情報を提供する。
ＧＥＴ／ｕｓｅｒｓ／ｍｅ／ｔｒａｎｓａｃｔｉｏｎｓ
現在ログインしているユーザの取引のリストを取得する。
ＧＥＴ／ｕｓｅｒｓ／ｍｅ／ｓｔａｔｉｓｔｉｃｓ
現在ログインしているユーザのアカウント統計を取得する。現在、これは取引回数のみを含む。
ＰＵＴ／ｕｓｅｒｓ／｛ｉｄ｝
内部ＩＤを介してユーザのプロパティを更新する。管理者、またはユーザＩＤが一致するユーザしか呼び出せないことがある。
ＤＥＬＥＴＥ／ｕｓｅｒｓ／｛ｉｄ｝
指定のユーザＩＤを消去する。管理者、またはユーザＩＤが一致するユーザしか呼び出せないことがある。消去は実質的かつ恒久的であることに留意されたい。
小売業者は所在地の所有者を表す。これらは、名称属性を有する単純な容器のみである。
ＰＯＳＴ／ｒｅｔａｉｌｅｒｓ
新しい小売業者エンティティを作成する。管理者しか呼び出せないことがある。固有の名称パラメータのみを要する。
【００９６】
【表３】
2020536333.tif 000005
【００９７】
ＧＥＴ／ｒｅｔａｉｌｅｒｓ
全ての小売業者に関する情報を取得する。このエンドポイントは全てにアクセス可能であるが、ログインを要しないので、小売業者の公開リストを得るのに使用することができる。
ＧＥＴ／ｒｅｔａｉｌｅｒｓ／｛ｉｄ｝
このＩＤを有する単一の小売業者に関する情報を取得する。このエンドポイントは全てにアクセス可能であり、ログインを要しない。
ＧＥＴ／ｒｅｔａｉｌｅｒｓ／｛ｉｄ｝／ｌｏｃａｔｉｏｎｓ
このＩＤを有する小売業者が所有する全ての所在地に関する情報を取得する。このエンドポイントは全てにアクセス可能であり、ログインを要しない。
ＰＵＴ／ｒｅｔａｉｌｅｒｓ／｛ｉｄ｝
指定の小売業者を更新する。利用可能なパラメータについてはＰＯＳＴを参照のこと。管理者、またはＩＤが一致する小売業者しか呼び出せないことがある。
ＤＥＬＥＴＥ／ｒｅｔａｉｌｅｒｓ／｛ｉｄ｝
指定の小売業者を消去する。管理者、またはＩＤが一致する小売業者しか呼び出せないことがある。
【００９８】
所在地は、Ｃｕｐ  Ｃｌｕｂのカップを使用して製品を販売する場所である。全ての所在地は１つのＲｅｔａｉｌｅｒと関連付けられる。
ＰＯＳＴ／ｌｏｃａｔｉｏｎｓ
新しい所在地エンティティを作成する。有効なｒｅｔａｉｌｅｒ＿ｉｄ、名称、アドレス（任意）、タイプ、緯度経度パラメータを要する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。タイプパラメータは、
店舗、ドロップポイント、カップクラブハブのうち１つであるべきである。
【００９９】
【表４】
2020536333.tif 000006
【０１００】
ＧＥＴ／ｌｏｃａｔｉｏｎｓ
全ての所在地に関する情報を取得する。このエンドポイントは全てにアクセス可能であるが、ログインを要しないので、所在地の公開リストを得るのに使用することができる。
ＧＥＴ／ｌｏｃａｔｉｏｎｓ／｛ｉｄ｝
このＩＤを有する単一の所在地に関する情報を取得する。このエンドポイントは全てにアクセス可能であり、ログインを要しない。
ＧＥＴ／ｌｏｃａｔｉｏｎｓ／｛ｉｄ｝ｐｏｓｄｅｖｉｃｅｓ
このＩＤを有する所在地と関連付けられた全てのＰＯＳデバイスに関する情報を取得する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＰＵＴ／ｌｏｃａｔｉｏｎｓ／｛ｉｄ｝
指定の所在地を更新する。利用可能なパラメータについてはＰＯＳＴを参照のこと。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＤＥＬＥＴＥ／ｌｏｃａｔｉｏｎｓ／｛ｉｄ｝
指定の所在地を消去する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＰＯＳＤＥＶＩＣＥＳ
これらは、消費者と特定の所在地にある特定のカップの使用との間のリンクを最終的に作成する、販売場所デバイスを表す。これは、金融取引と関連付けられても関連付けられなくてもよい。
ＰＯＳＴ／ｐｏｓｄｅｖｉｃｅｓ
新しいＰＯＳデバイスエンティティを作成する。有効なタイプ、ｌｏｃａｔｉｏｎ＿ｉｄ、およびバージョンパラメータを要し、タイプは、ｔｙｐｅ１、ｔｙｐｅ２、ｔｙｐｅ３のうち１つである。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
【０１０１】
【表５】
2020536333.tif 000007
【０１０２】
この特定の例は、このＰＯＳデバイスと関連付けられた所在地の詳細を含んでいたが、この情報は常に存在しなくてもよく、存在する場合は往復移動を保存することができる。
ＧＥＴ／ｐｏｓｄｅｖｉｃｅｓ
全ての所在地に対する全ての定義されたＰＯＳデバイスのリストを取得する。管理者しか呼び出せないことがある。
ＧＥＴ／ｐｏｓｄｅｖｉｃｅｓ／｛ｉｄ｝
単一のＰＯＳデバイスに関する情報を取得する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＧＥＴ／ｐｏｓｄｅｖｉｃｅｓ／｛ｉｄ｝ｔｒａｎｓａｃｔｉｏｎｓ
このＰＯＳデバイスの取引のリストを取得する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＧＥＴ／ｐｏｓｄｅｖｉｃｅｓ／｛ｉｄ｝ｓｔａｔｉｓｔｉｃｓ
このＰＯＳデバイスのアカウント統計を取得する。現在、これは取引回数のみを含む。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＰＵＴ／ｐｏｓｄｅｖｉｃｅｓ／｛ｉｄ｝
指定のＰＯＳデバイスを更新する。利用可能なパラメータについてはＰＯＳＴを参照のこと。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＤＥＬＥＴＥ／ｐｏｓｄｅｖｉｃｅｓ／｛ｉｄ｝指定のＰＯＳデバイスを消去する。これは、管理者によって呼び出されてもよいが、ｒｅｔａｉｌｅｒ＿ｉｄが一致する小売業者ユーザによって、またはＩＤが一致する所在地ユーザによっても呼び出されてもよい。
ＰＯＳＴ／ｃｕｐｓ
新しいＰＯＳデバイスエンティティを作成する。有効なステータスおよびＲＦＩＤパラメータを要し、ステータスは、待機中（新しいカップの場合はデフォルト）、使用中、使用済みのうち１つである。ＲＦＩＤパラメータパラメータは、最大２５５文字の自由形式のケースセンシティブなＡＳＣＩＩであるが、一意でなければならず、定義されているコード体系が何であれそれに適応すべきである。
【０１０３】
これは、管理者および倉庫ユーザによって呼び出されてもよい。
【０１０４】
【表６】
2020536333.tif 000008
【０１０５】
ＧＥＴ／ｃｕｐｓ
全ての定義されたカップのリストを取得する。管理者および倉庫ユーザしか呼び出せないことがある。
ＧＥＴ／ｃｕｐｓ／｛ｉｄ｝
内部ＩＤによって単一のカップの情報を取得する。管理者および倉庫ユーザしか呼び出せないことがある。
ＧＥＴ／ｃｕｐｓ／ｒｆｉｄ／｛ｒｆｉｄ｝
ＲＦＩＤ値によって単一のカップの情報を取得する。管理者および倉庫ユーザしか呼び出せないことがある。
ＧＥＴ／ｃｕｐｓ／｛ｉｄ｝／ｔｒａｎｓａｃｔｉｏｎｓ
このカップの取引のリストを取得する。管理者および倉庫ユーザしか呼び出せないことがある。
ＧＥＴ／ｃｕｐｓ／｛ｉｄ｝／ｓｔａｔｉｓｔｉｃｓ
このカップのアカウント統計を取得する。現在、これは取引回数のみを含む。管理者および倉庫ユーザによってのみ呼び出されてもよい。
【０１０６】
取引は、ユーザ、所在地、ＰＯＳデバイス、およびカップの間でのイベントおよびインタラクションを記録する。特定の取引の直接獲得は、一般に、管理者のみに利用可能であるが、ほとんどのエンティティは自身に関する全ての取引を取得するためのエンドポイントを有する。
ＰＯＳＴ／ｔｒａｎｓａｃｔｉｏｎｓ
新しい取引エンティティを作成する。有効なタイプ、および任意にｐｏｓｄｅｖｉｃｅ＿ｉｄ、ｌｏｃａｔｉｏｎ＿ｉｄ、ｃｕｐ＿ｉｄ、ｕｓｅｒ＿ｉｄ、更にｉｎｆｏ−ｏｎｌｙ  ｏｒｄｅｒｉｎｆｏおよびｒｅｃｅｉｐｔ＿ｉｄパラメータのいずれかを要し、タイプは、所在地への送達、貸出し、返却、洗浄、使用済みのうち１つである。
【０１０７】
これは、管理者、ＰＯＳデバイス、および倉庫ユーザによって呼び出されてもよい。
【０１０８】
【表７】
2020536333.tif 000009
【０１０９】
ＧＥＴ／ｔｒａｎｓａｃｔｉｏｎｓ
全ての定義された取引のリストを取得する。管理者しか呼び出せないことがある。
ＧＥＴ／ｔｒａｎｓａｃｔｉｏｎｓ／｛ｉｄ｝
内部ＩＤによって単一の取引の情報を取得する。管理者しか呼び出せないことがある。
ＰＵＴ／ｔｒａｎｓａｃｔｉｏｎｓ／｛ｉｄ｝
指定の取引を更新する。利用可能なパラメータについてはＰＯＳＴを参照のこと。管理者しか呼び出せないことがある。
ＤＥＬＥＴＥ／ｔｒａｎｓａｃｔｉｏｎｓ／｛ｉｄ｝
指定の取引を消去する。管理者しか呼び出せないことがある。
【０１１０】
シナリオ例
典型的な操作に対していくつかのＡＰＩ呼出しシーケンスがある。
ＮＥＷ  ＢＡＴＣＨ  ＯＦ  ＣＵＰＳ  ＡＲＲＩＶＥＳ  ＡＴ  ＤＥＰＯＴ：
１．ＰＯＳＴ  ／ａｕｔｈｅｎｔｉｃａｔｅ  管理者または倉庫ユーザとして。
２．ＲＦＩＤ読取り機でカップをスキャンする。
３．ＰＯＳＴ  ／ｃｕｐｓ  スキャンしたＲＦＩＤ値および保留ステータスを含む、各カップの新しい記録を作成する。
４．ＰＯＳＴ  ／ｔｒａｎｓａｃｔｉｏｎｓ  各カップに対して、洗浄タイプ記録の作成を繰り返す（新しいカップが直接洗浄に送られる）。＃＃＃カップのバッチは所在地に送られる。
５．ＰＯＳＴ  ／ａｕｔｈｅｎｔｉｃａｔｅ  管理者または倉庫ユーザとして。
６．ＲＦＩＤ読取り機でカップをスキャンする。
７．ＧＥＴ  ／ｃｕｐｓ／ｒｆｉｄ／｛ｒｆｉｄ｝  各カップの内部ｃｕｐ＿ｉｄを検索するのにＲＦＩＤを使用する。
８．ＰＯＳＴ  ／ｔｒａｎｓａｃｔｉｏｎｓ  各カップに対して、適切なｌｏｃａｔｉｏｎ＿ｉｄおよびｃｕｐ＿ｉｄ値を含む、所在地タイプ記録への送達の作成を繰り返す。＃＃＃カップのバッチは所在地から戻る。
９．ＰＯＳＴ  ／ａｕｔｈｅｎｔｉｃａｔｅ  管理者または倉庫ユーザとして。
１０．ＲＦＩＤ読取り機でカップをスキャンする。
１１．ＧＥＴ  ／ｃｕｐｓ／ｒｆｉｄ／｛ｒｆｉｄ｝  各カップの内部ｃｕｐ＿ｉｄを検索するのにＲＦＩＤを使用する。
１２．ＰＯＳＴ  ／ｔｒａｎｓａｃｔｉｏｎｓ  各カップに対して、適切なｃｕｐ＿ｉｄ値を含む、洗浄タイプ記録の作成を繰り返す。
【０１１１】
販売場所デバイスはまた、適切なコストおよび販売促進情報を提供するために、小売業者の販売場所インターフェースに接続されてもよい。システムのＰＯＳを小売業者の販売場所に接続することによって、システムが、小売業者データをシステムのデータとリンクさせることも可能になる。これは、リアルタイムで、またはデータステッチングによって行われてもよい。
【０１１２】
販売場所デバイスは、多数の因子を表す信号を遠隔処理モジュールに送るように構成されてもよい。次のものを含んでもよいが、必ずしもそれらに限定されない。
メンバーＩＤ確認
カップＩＤ
カップの残り使用回数
飲み物のタイプおよび量
時間およびデータログ
改ざんイベントなどのメンテナンス情報
【０１１３】
遠隔処理モジュールは、メンバーＩＤの妥当性確認に関して、販売場所デバイスにフィードバックを送信してもよい。あるいはまた、非メンバーを拒絶してもよい。遠隔処理モジュールはまた、適宜システムおよびソフトウェアの更新を送ってもよい。
【０１１４】
別のインタラクションポイントは、ユーザがカップを使用後に置く際に適切なドロップポイントにあってもよい。このインタラクションは、任意に、回収ポイント（運搬車内）などのＲＦＩＤ読取りデバイスが提供されている別の場所、または使用済みカップが問い合わされてもよく、いくつかの因子を表す信号が遠隔処理モジュールに再度送信されてもよい、清浄化ステーションで処理される。更なる実施形態では、システムは、製品が、即ち容器がリアルタイムで返却されている場所をリアルタイムで知るように構成されてもよい。これらのいくつかの因子は、例えば次のものを含んでもよい。
カップチェックイン情報
カップＩＤ
時間およびデータログ
改ざんのステータスの指示
【０１１５】
遠隔処理モジュール（クラウドプラットフォームの一部であってもよい）はまた、システムおよびソフトウェアの更新を適宜提供することによって、この種のインタラクションポイントとインタラクトしてもよい。
【０１１６】
ＲＦＩＤデバイスはまた、所在地をキャリアまたはケースに割り当てることが可能である。また、ドロップポイントＩＤが割り当てられてもよい。
【０１１７】
これらの特注のインタラクションポイントに加えて、ユーザが次のような因子を入力するのを可能にするスマートデバイス上のアプリケーションの形態の、ユーザインターフェースが提供されてもよい。
ユーザの名称
ユーザの電子メールアドレス
ユーザの好ましい支払い詳細
小売業契約場所
特別に用意した質問への回答
クレームなどの他の種類の情報
【０１１８】
遠隔処理モジュールはまた、メンバーＩＤ確認、ならびに任意の適切なシステム更新およびソフトウェア更新をユーザに提供してもよい。それに加えて、販売促進または市場調査情報、返却しなかったことに対する通知／罰金、環境上の観点から有益なプロセスに貢献しているという感覚をユーザに提供するインパクト基準の形態で、通知がユーザにプッシュされてもよい。それに加えて、更なる実施形態では、ユーザインターフェースは、スマートデバイス上の第三者アプリケーションとＡＰＩの統合によって提供されてもよい。システムは、既存のアプリケーションがすでに成功している場合、いわゆる「ホワイトラベル」として統合するように構成されてもよい。
【０１１９】
それに加えて、アプリケーションは、性別および年齢に関する更なる情報を要求することがある。また、特定のプロファイルに対して指定の販売促進を提供してもよい。また、教育、職場、オフィス、または小売に応じて、グループメンバーシップを提供してもよい。また、正確な飲み物摂取習慣および傾向の情報を提供することができる。
【０１２０】
本発明はまた、顧客の物理的位置に基づいて地理的販売キャンペーンを関連付ける、ＧＰＳ対応の機能性を想到する。
【０１２１】
図１３のラベルを使用
【０１２２】
〔ラベルＡ〕
認証：
・メンバーＩＤ確認を要求
カップチェックアウト情報：
・カップＩＤおよびカップの残り使用回数
・飲み物のタイプおよび量（価格チェック）
・日時ログ
メンテナンス:
・改ざん
【０１２３】
〔ラベルＢ〕
認証：
・メンバーＩＤ確認を送信または非メンバーを拒否
メンテナンス：
・システム更新／ソフトウェア更新
【０１２４】
〔ラベルＣ〕
登録：
・メンバーの名称
・メンバーの電子メール
・メンバーの支払い詳細
・小売業者契約場所
ＣＲＭ：
・Ｑ＆Ａ
・クレーム
認証：
・メンバーＩＤを中継
【０１２５】
〔ラベルＤ〕
通信：
・未返却に対する通知／罰金
・販売促進／市場調査および内容
・インパクト基準
メンテナンス：
・システム更新／ソフトウェア更新
【０１２６】
〔ラベルＥ〕
メンテナンス：
・システム更新／ソフトウェア更新
【０１２７】
〔ラベルＦ〕
データ：
・ドロップポイントＩＤ
【０１２８】
〔ラベルＧ〕
カップチェックイン情報：
・カップＩＤ
・日時ログ
メンテナンス：
・改ざん
【０１２９】
〔ラベルＨ〕
データ：
・カップＩＤ
【０１３０】
〔ラベルＪ〕
データ：
・カップＩＤ／名称を割当て（1回限り）
・カップの残り使用回数
・割り当てられたメンバーＩＤ
・飲み物のタイプ
・日時ログ
・所在地ログ
メンテナンス：
・システム更新
【０１３１】
〔ラベルＫ〕
認証：
・メンバーＩＤ確認／拒否
【０１３２】
〔ラベルＬ〕
データ：
・カップＩＤ／名称
・カップ移動時間／距離
・インパクト基準
・飲み物のタイプおよび量
【０１３３】
〔ラベルＭ〕
通信：
・内容
・ギフト
【０１３４】
〔ラベルＮ〕
データ：
・所在地割当て
【０１３５】
〔ラベルＰ〕
データ：
・カップＩＤ
【０１３６】
図１４および１５は、温かい飲料を保持するのに適した、全体が１０１で参照されるカップを示している。基部１０２と、基部から上方に延在する壁付き部分１０３とを備える。蓋１０４は、上方に延在する壁付き部分の最も上側の部分に取り付けられる。
【０１３７】
好ましい実施形態では、カップはまた、８オンス（２２７．３ｍｌ）、１０オンス（２８４．１ｍｌ）、および１２オンス（３４０．９ｍｌ）の飲み物部分を示す、図１９に示されるような線１０５などの目盛り線を有する。更なる好ましい実施形態では、カップは、１６オンス（４５４．６ｍｌ）を収容するのに適していてもよく、１４オンス（３９７．７ｍｌ）および／または１６オンス部分を示す線を有してもよい。
【０１３８】
任意に、検討される実施形態のいずれかは、洗浄後に水滴がほとんどまたは全くカップの表面に集まらないように、表面の水分保持を低減する質感を有する、構成要素の表面を含んでもよい。
【０１３９】
図１５は、半球形の陥凹部分１０７が、蓋の周囲の周りに延在する周縁１０８内に設けられている、蓋の更なる詳細を示している。周縁の境界内に、好ましくは楕円形であってもよいアパーチャ１０９が設けられる。アパーチャ１０９は、使用モードに応じて、カップから飲料を流出させるのを容易にする。蓋内に作られた貫通穴１０６を追加することによって、飲むプロセス中におけるカップ内の圧力を均等化するのが容易になる。
【０１４０】
図１６は、別の場合では実質的に平らな下側の基部表面であろう面に陥凹部分１１６を有することが想到される、基部１０２を更に詳細に示している。陥凹部分１１６は、ディスク形状であってカップと同軸である。陥凹部分は、キャップ１１７の対応するねじ山付きの周囲と噛合するために、雌ねじが切られていてもよい内壁１１０を有する。好ましい実施形態では、キャップは基部に接着されるかまたは溶接される。タグ１１８は、図１６のように長方形であるか、または同様に、図１７のような、陥凹部分１１６にやはり嵌合する１１８’としてのディスク形状であってもよい。キャップ１１７はまた、図１６に示されるように、中央部分よりも厚さが薄い環状部分１１１を含んでもよい。
【０１４１】
キャップ１１７は、上述の実施形態のドライバ１０にある突起１４に対応してもよい、陥凹部分１１３を組み込んでもよい。タグ１１８（または１１８’）は、好ましくは、読取り機に近接しているときに読み取られるかまたは問い合わされてもよい、いわゆる受動タグであってもよい。好ましい実施形態では、タグは、関心のあるポイントなどにおけるタグの遠隔問い合わせを可能にするために、無線（ＲＦ）識別を含んでもよい。
【０１４２】
図１８は、上下逆さまのカップを示している。蓋１０４は、横方向もしくは径方向の突起またはタブ１１４を組み込む。タブ１１４は、先細の上側部分を有し、任意に、蓋の最も下側の領域に向かって配置されてもよい。
【０１４３】
好ましい実施形態では、カップは、タグを基部に有するだけでなく、図２０に示されるように、蓋１０４の一部としてのタグも有する。図２１に示されるように、この第２のタグ１１９は、上述の図面に記載されるキャップと類似の構成のキャップ１２０によって、蓋の内部に固定されてもよい。この図は、受入れ部分１２１とディスク１２０との間のインタラクションを示している。受入れ部分は、第２のタグ１１９を受け入れるチャンバを画成する円筒状の壁を有する。
【０１４４】
更なる実施形態では、タグは、キャップと一体的に形成されてもよい。上述した主要な楕円形のアパーチャに加えて、貫通穴１２２も示されている。
【０１４５】
図２２は、上述した種類のタグの上に固定される、カバー部分１２０’を示している。タグ１１９’は、図２３に示されるように、プラスチック材料に埋め込まれてもよい。
【０１４６】
図２４は、蓋１０４、タグ１１９’、およびカバー部分１２０’の分解組立図を示している。
【０１４７】
図２５は、上述の図面に関して記載した種類の複数のカップを保持する、全体が１２３で参照されるキャリアを示している。キャリアはまた、キャリア自体を識別する遠隔で問い合わせ可能なタグを備えてもよい。区画１２４など、図２６に示されるような多数の区画が、カップおよび蓋を適宜受け入れるために設けられる。これらの区画は、密接した構成でカップの積重ねを促すために、垂直方向に細長く、カップの幅におおよそ対応する。これは、多量の使用済みのカップおよび蓋の運搬を最大限にする、相対的にコンパクトなキャリアを提供することに関して、特に有利である。各区画は、断面で見て六角形の区画を形成する壁によって境界が定められてもよい。カップを蓋から分離するのを促すために、蓋１２５は、２つの異なる種類のアパーチャを備える。アパーチャ１２６などの第１の種類のアパーチャは、カップを挿入できるようにサイズおよび形状が決められ、第２の種類のアパーチャ１２７は、蓋は挿入できるがカップは挿入できないようにサイズおよび形状が決められる。アパーチャ１２６はほぼ円形の構成を有し、アパーチャ１２７は長方形である。１つまたは複数の側面陥凹部分１３２によって、操作者の手が更なる処理のためにキャリアを比較的簡単に把持することが可能になる。キャスタレーション１２８は、上方に突出し、蓋を配置する助けとなるか、または複数のキャリアを上下に積み重ねることを可能にしてもよい。上側パネル１３３は、蓋１２５の上側カバーとして提供される。円形のアパーチャは、カップを区画に挿入するのを可能にし、その後の取出しに対抗するように、可撓性の環状膜を有する。同様に、長方形のアパーチャは、蓋を区画に挿入するのを可能にし、その後の取出しに対抗するように、可撓性部分を備えた内周を有する。
【０１４８】
図２５および２６のキャリアはまた、上側パネル１３３の一部として位置するＲＦＩＤタグ１３４を組み込んでもよい。ＲＦＩＤタグ１３４は、図２８に示されるように、側壁１３６とカップ１３７との間に形成される、それ自体の区画１３５内に位置してもよい。区画は、蓋の下面または蓋の頂部で突出してもよい。
【０１４９】
カップは、潜在的にインタラクションポイントとインタラクトしてもよく、そのインタラクションポイントは、販売場所で見出されてもよく、カップ取扱いシステムが、遠隔処理モジュール（この図には図示なし）で、インタラクションの日時スタンプ、販売場所の識別、システムとインタラクトする個人の識別、およびカップの識別という因子の少なくとも１つまたは複数を表す信号を受信できるようにするために、カップ取扱いシステムがカップの固有の識別番号を読み取るのを可能にするとともに、操作者が温かい飲み物の選択をタッチ画面または他の入力手段に入力できるようにする、上述した種類のＲＦタグ読取り機を組み込んでもよい。
【０１５０】
好ましい実施形態では、キャリアは、ＲＦＩＤ読取り機によってシステムハブに提供されてもよい、インタラクションポイントとインタラクトしてもよい。
【０１５１】
好ましい実施形態では、因子を表す信号は、遠隔処理モジュールが常駐するとともに、様々なインタラクションのプロファイルが次第に蓄積される、クラウドベースのアプリケーションに送られる。販売場所デバイスはまた、その所在地、購入日時、飲料の種類、および飲料の量に関する情報を提供してもよい。販売場所デバイスから得られる入力は、データを集約して個々のカップおよび販売場所のうち１つまたは複数のプロファイルを決定するであろう、遠隔処理モジュールに供給してもよい。
【０１５２】
更に、遠隔処理モジュールは、清浄化および更なる処理を必要としている多数のカップとも関連付けられてもよい、キャリアの所在地からの情報供給を得てもよい。これに関連して、モジュールは、販売場所デバイスなどにおける最初のインタラクションポイントと、キャリアの記録された所在地との間の距離を計算するように、適合または構成されてもよい。これにより、返却イベントをモニタリングし分析することが可能になるであろう。これは、例えば、カップを返却したことに対する潜在的な賞金を含む適切な通知、あるいは返却しなかったことに対する罰金の通達を発送することを含む通知とともに、プッシュ通知を送信することを可能にしてもよい。また、これによって、より正確な販売促進および市場調査活動を展開することが可能になるであろう。
【０１５３】
図２９は、ＨＴＴＰ要求を使用して、データの取得、作成、更新、および消去を行う、アプリケーションプログラムインターフェースであるＨＴＴＰ  ＲＥＳＴ  ＡＰＩを含む好ましいシステム構造を示している。データベースに対するアップロードおよびダウンロードを可能にする、二方向通信インターフェースが想到される。管理者ウェブベースのユーザインターフェースが提供される。それに加えて、システムは、ユーザおよび顧客対応のウェブおよびモバイルアプリケーションを提供する。主および副インタラクションポイントはそれぞれ、第１のＲＦＩＤスキャナおよび第２のＲＦＩＤスキャナを用いて提供される。第１のＲＦＩＤスキャナはハブスキャナであってもよく、第２のＲＦＩＤスキャナはモバイルスキャナであってもよい。カップまたはキャリアのどちらかが、第１または第２のＲＦＩＤスキャナのどちらかとインタラクトしてもよい。あるいは、カップおよびキャリアの両方が、第１または第２のＲＦＩＤスキャナのどちらかとインタラクトしてもよい。本発明の実施形態は、インタラクションポイントのネットワークを形成するＲＦＩＤスキャナのネットワークを想到する。
【０１５４】
他の実施形態
更なる実施形態では、取扱いシステムは、複数の食品または飲料容器を取り扱うように構成されてもよい。食品または飲料容器は、基部と、基部から上方に延在する壁付き部分と、壁付き部分に取り付けられる蓋とを備えてもよく、容器は、基部、上方に延在する壁付き部分、および蓋のうち１つまたは複数と統合された、１つまたは複数の遠隔で問い合わせ可能なタグを備える。好ましい実施形態では、容器はその基部内に位置するタグを備える。
【０１５５】
任意に、容器は、その蓋内に遠隔で問い合わせ可能なタグを備える。
【０１５６】
任意に、タグは、取外しを防ぐように容器に固定されたディスクを備える。これは、好ましくは、タグと容器との間の溶接接合、または別の恒久的な締結具を含んでもよい。
【０１５７】
任意に、タグは、ねじ山付きの周囲を備えたディスクを備え、容器は、対応するねじ山付きの直径を有する陥凹部分を備え、それによってディスクが容器に解放可能に固定されてもよい。好ましくは、ディスクは、ディスクを容器に固定する際にディスクの回転を駆動する、対応する形状のドライバを受け入れるのに適した陥凹部分を備えた外表面を備える。
【０１５８】
好ましくは、容器の蓋は、外表面と、更なる遠隔で問い合わせ可能なタグを蓋に解放可能に固定するための陥凹部分を備える内表面とを有する。好ましくは、キャリアは、キャリアを識別する遠隔で問い合わせ可能なタグと、蓋を受け入れる少なくとも１つの区画および容器を受け入れる少なくとも第２の区画とを備え、前記第２の区画は、第１の区画とは隔離され、密接した構成で容器を積み重ねるのを容易にする上方に延在する壁を有する。
【０１５９】
任意に、キャリアは、少なくとも１つの平行六面体のケースを備える。好ましくは、キャリアは、複数の積み重ねられた平行六面体のケースを備える。
【０１６０】
好ましくは、キャリアは、隣接する積み重ねられたケース間の接合部材として作用する、１つまたは複数のビームを備える。
【０１６１】
好ましくは、キャリアは、少なくとも２種類のアパーチャを備えた蓋を備え、第１の種類のアパーチャは、容器を挿入できるようにサイズおよび形状が決められ、第２の種類のアパーチャは、蓋は挿入できるが容器は挿入できないようにサイズおよび形状が決められる。
【０１６２】
好ましくは、第１のアパーチャは、実質的に円形であり、径方向内側に突出する１つまたは複数の突起を備える。
【０１６３】
好ましくは、第１のアパーチャは、対角線方向で対向して配設された突起を備える。
【０１６４】
更なる実施形態は、上述の態様のいずれか１つによる複数の容器と、遠隔処理モジュールと、複数の遠隔で配設されたインタラクションポイントとを備え、インタラクションポイントが、インタラクションの日時スタンプ、ポイントの識別、システムとインタラクトする個人の識別、および容器の識別といった因子のうち１つまたは複数を提供し、因子を表す信号を遠隔処理モジュールに送る、取扱いシステムを想到する。
【０１６５】
任意に、遠隔で配設されたインタラクションポイントの少なくとも１つは、販売場所の所在地、販売時間、飲料／食品の種類、および飲料／食品の量という追加の因子のうち１つまたは複数を照合する。
【０１６６】
任意に、遠隔処理モジュールは、データを集約して、個人、容器、および販売場所のうち１つまたは複数のプロファイルを決定する。
【０１６７】
任意に、システムは、インタラクションの日時スタンプを提供するインタラクションポイントと、上述の態様のいずれか１つによるキャリアの識別とを更に備える。
【０１６８】
任意に、システムは、キャリアの所在地と、容器との最初のインタラクションポイントとキャリアの所在地との間の距離を計算するモジュールとを備える。
【図１】
2020536333.tif 000010
【図２Ａ】
2020536333.tif 000011
【図２Ｂ】
2020536333.tif 000012
【図３】
2020536333.tif 000013
【図４】
2020536333.tif 000014
【図５Ａ】
2020536333.tif 000015
【図５Ｂ】
2020536333.tif 000016
【図５Ｃ】
2020536333.tif 000017
【図６】
2020536333.tif 000018
【図７】
2020536333.tif 000019
【図８】
2020536333.tif 000020
【図９】
2020536333.tif 000021
【図１０】
2020536333.tif 000022
【図１１】
2020536333.tif 000023
【図１２】
2020536333.tif 000024
【図１３】
2020536333.tif 000025
【図１４】
2020536333.tif 000026
【図１５】
2020536333.tif 000027
【図１６】
2020536333.tif 000028
【図１７】
2020536333.tif 000029
【図１８】
2020536333.tif 000030
【図１９】
2020536333.tif 000031
【図２０】
2020536333.tif 000032
【図２１】
2020536333.tif 000033
【図２２】
2020536333.tif 000034
【図２３】
2020536333.tif 000035
【図２４】
2020536333.tif 000036
【図２５】
2020536333.tif 000037
【図２６】
2020536333.tif 000038
【図２７】
2020536333.tif 000039
【図２８】
2020536333.tif 000040
【図２９】
2020536333.tif 000041
【国際調査報告】
2020536333.tif 000042
2020536333.tif 000043
2020536333.tif 000044